(57)【要約】      （修正有）【課題】靴の内部が高温多湿になるのを軽減できる足蒸れ軽減靴を提供する。【解決手段】足蒸れ軽減靴１０の本底１２の上面１２Ａには換気路２０が形成され、換気路２０は爪先部換気路２０Ａ、第１サイド換気路２０Ｂ，第２サイド換気路２０Ｃから構成されている。爪先部換気路２０Ａには換気用弾性体２２が設けられている。本底１２の本底第１サイド部２４と本底第２サイド部２６にはハトメ挿入孔が貫通形成され、ハトメ挿入孔にはハトメ３０が挿入されている。ハトメ３０のハトメ穴には非透水性換気体が配設されている。また、非透水性換気体の外側にはメッシュ体４０が設けられている。【選択図】図１
0003161164.tif 000002
【実用新案登録請求の範囲】
【請求項１】
本底と中底と甲皮部を備えてなる足蒸れ軽減靴であって、前記本底に形成された換気路と、この換気路に配設された換気用弾性体と、前記本底に貫通形成されると共に前記換気路と連通された換気用管体挿入孔と、この換気用管体挿入孔に挿入された換気用管体と、この換気用管体の穴を塞ぐように配設された非透水性換気体と、前記中底に形成された中底貫通孔と、を有してなることを特徴とする足蒸れ軽減靴。
【請求項２】
本底と中底と甲皮部を備えてなる足蒸れ軽減靴であって、前記本底の爪先部から踵部にわたって連続形成されると共に爪先部換気路、第１サイド換気路、第２サイド換気路を備えた換気路と、前記爪先部換気路に配設された換気用弾性体と、前記本底の本底第１サイド部及び本底第２サイド部に貫通形成されると共に前記換気路と連通された換気用管体挿入孔と、この換気用管体挿入孔に挿入された換気用管体と、この換気用管体の穴を塞ぐように配設された非透水性換気体と、前記換気用管体の穴に配設されると共に前記非透水性換気体の外側に配設されるメッシュ体と、前記中底に形成された中底貫通孔と、を有してなることを特徴とする足蒸れ軽減靴。
【請求項３】
本底と中底と甲皮部を備えてなる足蒸れ軽減靴であって、前記本底の爪先部から踵部にわたって連続形成されると共に爪先部換気路、第１サイド換気路、第２サイド換気路を備えた換気路と、前記爪先部換気路に配設された換気用弾性体と、前記本底の底部に貫通形成されると共に前記換気路と連通された換気用管体挿入孔と、この換気用管体挿入孔に挿入された換気用管体と、この換気用管体の穴を塞ぐように配設された非透水性換気体と、前記換気用管体の穴に配設されると共に前記非透水性換気体の外側に配設されるメッシュ体と、前記中底に形成された中底貫通孔と、を有してなることを特徴とする足蒸れ軽減靴。
【請求項４】
本底と中底と甲皮部を備えてなる足蒸れ軽減靴であって、前記本底の爪先部から踵部にわたって連続形成されると共に爪先部換気路、第１サイド換気路、第２サイド換気路を備えた換気路と、前記爪先部換気路に配設された換気用弾性体と、前記本底の本底第１サイド部及び本底第２サイド部と前記本底の底部にそれぞれ貫通形成されると共に前記換気路と連通された換気用管体挿入孔と、この換気用管体挿入孔に挿入された換気用管体と、この換気用管体の穴を塞ぐように配設された非透水性換気体と、前記換気用管体の穴に配設されると共に前記非透水性換気体の外側に配設されるメッシュ体と、前記中底に形成された中底貫通孔と、を有してなることを特徴とする足蒸れ軽減靴。
【請求項５】
前記非透水性換気体は不織布と、この不織布の表面に超撥水剤を塗布して形成したことを特徴とする請求項１〜請求項４のいずれか１項に記載の足蒸れ軽減靴。
【考案の詳細な説明】
【技術分野】
【０００１】
本考案は、靴の内部の換気性を向上させることにより靴の内部で足が蒸れるのを軽減することができる足蒸れ軽減靴に関する。
【背景技術】
【０００２】
靴を履くと靴の甲皮部内は密室状態になり足が熱をもって発汗するため、靴の甲皮部内が高温多湿状態になり足が蒸れてしまう。靴の甲皮部内で足が蒸れると不快な臭いが生じたり、水虫等の遠因となる。
そこで、靴を履いても靴の甲皮部内が高温多湿になるのを軽減するための靴が提案されている（特許文献１）。
この靴は本底と中底に貫通孔を複数形成すると共に本底と中底の間に非透水性の通気性部材を配設している。この非透水性の通気性部材は弾性樹脂体の両面に非透水性の通気膜を設けることにより形成されている。
しかし、前記靴は上述したように本底と中底の間に非透水性の通気性部材が挟まれた状態で配設されている。このため、靴を履く者の体重が作用したり経年変化等によって前記非透水性の通気性部材がへたって前記通気膜に小さな亀裂等が発生したりして、非透水性の通気性部材が劣化して雨水等が浸入する等して非透水性効果が著しく低下してしまうという不具合がある。
また、前記靴は本底と中底に貫通孔を形成して自然通気で甲皮部内の換気を行っているため、換気効果が十分でないという不具合がある。
【先行技術文献】
【特許文献】
【０００３】
【特許文献１】特開平８−２９４４０３号公報
【考案の概要】
【考案が解決しようとする課題】
【０００４】
本考案は、上記事実に鑑みなされたものであり、靴を長期間使用しても非透水性効果が低下するのを防止すると共に靴の内部の換気を効率よく行って靴の内部が高温多湿になるのを軽減できる足蒸れ軽減靴を提供するものである。
【課題を解決するための手段】
【０００５】
請求項１の考案は、本底と中底と甲皮部を備えてなる足蒸れ軽減靴であって、前記本底に形成された換気路と、この換気路に配設された換気用弾性体と、前記本底に貫通形成されると共に前記換気路と連通された換気用管体挿入孔と、この換気用管体挿入孔に挿入された換気用管体と、この換気用管体の穴を塞ぐように配設された非透水性換気体と、前記中底に形成された中底貫通孔と、を有してなることを特徴としている。
請求項２の考案は、本底と中底と甲皮部を備えてなる足蒸れ軽減靴であって、前記本底の爪先部から踵部にわたって連続形成されると共に爪先部換気路、第１サイド換気路、第２サイド換気路を備えた換気路と、前記爪先部換気路に配設された換気用弾性体と、前記本底の本底第１サイド部及び本底第２サイド部に貫通形成されると共に前記換気路と連通された換気用管体挿入孔と、この換気用管体挿入孔に挿入された換気用管体と、この換気用管体の穴を塞ぐように配設された非透水性換気体と、前記換気用管体の穴に配設されると共に前記非透水性換気体の外側に配設されるメッシュ体と、前記中底に形成された中底貫通孔と、を有してなることを特徴としている。
請求項３の考案は、本底と中底と甲皮部を備えてなる足蒸れ軽減靴であって、前記本底の爪先部から踵部にわたって連続形成されると共に爪先部換気路、第１サイド換気路、第２サイド換気路を備えた換気路と、前記爪先部換気路に配設された換気用弾性体と、前記本底の底部に貫通形成されると共に前記換気路と連通された換気用管体挿入孔と、この換気用管体挿入孔に挿入された換気用管体と、この換気用管体の穴を塞ぐように配設された非透水性換気体と、前記換気用管体の穴に配設されると共に前記非透水性換気体の外側に配設されるメッシュ体と、前記中底に形成された中底貫通孔と、を有してなることを特徴としている。
請求項４の考案は、本底と中底と甲皮部を備えてなる足蒸れ軽減靴であって、前記本底の爪先部から踵部にわたって連続形成されると共に爪先部換気路、第１サイド換気路、第２サイド換気路を備えた換気路と、前記爪先部換気路に配設された換気用弾性体と、前記本底の本底第１サイド部及び本底第２サイド部と前記本底の底部にそれぞれ貫通形成されると共に前記換気路と連通された換気用管体挿入孔と、この換気用管体挿入孔に挿入された換気用管体と、この換気用管体の穴を塞ぐように配設された非透水性換気体と、前記換気用管体の穴に配設されると共に前記非透水性換気体の外側に配設されるメッシュ体と、前記中底に形成された中底貫通孔と、を有してなることを特徴としている。
請求項５の考案は、前記非透水性換気体は不織布と、この不織布の表面に超撥水剤を塗布して形成したことを特徴としている。
【考案の効果】
【０００６】
本考案の足蒸れ軽減靴は、換気路に換気用弾性体が配設されているのでこの換気用弾性体がポンプの役目を果たし靴の甲皮部内を効率よく換気できるという優れた効果を有する。
また、本考案の足蒸れ軽減靴は、非透水性換気体の性能を長期間にわたり保持できるので、長期間にわたって使用することができるという優れた効果を有する。
【図面の簡単な説明】
【０００７】
【図１】第１実施例の足蒸れ軽減靴の分解斜視図である。
【図２】第１実施例の足蒸れ軽減靴の本底の斜視図である。
【図３】第１実施例の足蒸れ軽減靴の本底の側面図である。
【図４】第１実施例の足蒸れ軽減靴に使用されるハトメの拡大縦断面図である。
【図５】第２実施例の足蒸れ軽減靴の本底の斜視図である。
【図６】第３実施例の足蒸れ軽減靴の本底の斜視図である。
【考案を実施するための形態】
【０００８】
考案を実施するために最良の形態の例として以下のような実施例を示す。
【実施例１】
【０００９】
図１〜図４には本考案に係る足蒸れ軽減靴の第１実施例が示されている。
図１に示されるように、実施例の足蒸れ軽減靴１０は本底１２と、本底１２の上面１２Ａに載置される中底１４と、中底１４の上に設けられる中敷１６と、甲皮部１８とから構成されている。
図２に示されるように、前記本底１２の上面１２Ａには換気路２０が刻設されている。この換気路２０は、本底１２の爪先部１２Ｂに形成された爪先部換気路２０Ａ、本底１２の土踏まず部１２Ｃから踵部１２Ｄにわたって並んで形成された第１サイド換気路２０Ｂ、第２サイド換気路２０Ｃと、から構成されている。
前記爪先部換気路２０Ａには換気用弾性体２２が設けられている。この換気用弾性体２２は合成樹脂材で形成されたスポンジを一定の厚みを有するシート状に形成してカットしたものである。前記換気用弾性体２２を爪先部換気路２０Ａに配設することにより足蒸れ軽減靴１０を履いて歩いたり走ったりすると足の爪先部が換気用弾性体２２を押圧したり押圧を解除するため、換気用弾性体２２がポンプの役目を果たして効率よく換気できるようになっている。
図２及び図３に示されるように、前記本底１２の本底第１サイド部２４と本底第２サイド部２６にはそれぞれ複数の換気用管体挿入孔としてのハトメ挿入孔２８（図４参照）が間隔を設けて３個づつ貫通形成されている。このハトメ挿入孔２８を設けることにより前記爪先部換気路２０Ａ、第１サイド換気路２０Ｂ、前記第２サイド換気路２０Ｃは外部と連通し、換気できるようになっている。
図４に示されるように、前記ハトメ挿入孔２８には換気用管体としてのハトメ３０が密着状態で挿入されている。なお、本底第１サイド部２４及び本底第２サイド部２６の内側面には座金３２が設けられ、ハトメ３０をハトメ挿入孔２８に挿入しても外部から雨水等がハトメ挿入孔２８を介して前記爪先部換気路２０Ａ、第１サイド換気路２０Ｂ、第２サイド換気路２０Ｃに浸入するのを防止している。
前記ハトメ３０のハトメ穴３４にはハトメ穴３４を塞ぐように非透水性換気体３６が配設されている。この非透水性換気体３６は空気は通すが水は通さない部材である。この実施例では前記非透水性換気体３６は不織布３８と、この不織布３８の表面に超撥水剤３９を塗布することにより形成されている。
また、前記非透水性換気体３６の外側には金属製のメッシュ体４０が設けられている。従って、足蒸れ軽減靴１０の外部からハトメ穴３４を通過してゴミ等が浸入するのを防いで前記非透水性換気体３６が損傷する等のダメージを受けないようになっている。
図１に示されるように、前記中底１４の爪先部と踵部には中底貫通孔４２が上下方向に向かって複数貫通形成され、前記中敷１６の爪先部と踵部には中敷貫通孔４４が上下方向に向かって複数貫通形成されている。
従って、足蒸れ軽減靴１０の甲皮部１８内はハトメ３０、中底貫通孔４２、中敷貫通孔４４を介して外部と換気可能になっている。
【００１０】
次に、第１実施例の足蒸れ軽減靴１０の作用について説明する。
足蒸れ軽減靴１０を履くと甲皮部１８内は密室状態になり足が熱をもって発汗するため、甲皮部１８内が高温多湿状態になる。
この足蒸れ軽減靴１０を履いて歩いたり走ったりする場合、本底１２の底部１２Ｅが路面に接地すると足の爪先部（図示せず）が換気用弾性体２２を押圧するため第１サイド換気路２０Ｂの空気は本底第１サイド部２４に設けられたハトメ３０を介し、第２サイド換気路２０Ｃの空気は本底第２サイド部２６に設けられたハトメ３０を介し、それぞれ外部に排出される。
従って、甲皮部１８内で発生した熱や湿気は中敷１６の中敷貫通孔４４、中底１４の中底貫通孔４２を介して爪先部換気路２０Ａ、第１サイド換気路２０Ｂ、第２サイド換気路２０Ｃ、ハトメ３０を介して排出される。
また、本底１２の底部１２Ｅが路面から離れると足の爪先部が換気用弾性体２２の押圧を解除するので換気用弾性体２２は弾性復帰することにより外気は本底第１サイド部２４に設けられたハトメ３０を介して第１サイド換気路２０Ｂに流入し、本底第２サイド部２６に設けられたハトメ３０を介して第２サイド換気路２０Ｃに流入する。
そして、爪先部換気路２０Ａ、第１サイド換気路２０Ｂ、第２サイド換気路２０Ｃに流入した外気は中底１４の中底貫通孔４２、中敷１６の中敷貫通孔４４を介して甲皮部１８内に流入する。
従って、足蒸れ軽減靴１０を履いて歩いたり走ったりすることにより上記動作が繰り返されると前記換気用弾性体２２はポンプの役目を果たして甲皮部１８内は効率よく換気される。
この結果、足蒸れ軽減靴１０の甲皮部１８内が高温多湿状態になるのを軽減することができるので、本考案の足蒸れ軽減靴１０は不快な臭いが発生するのを抑えることができると共に水虫の遠因を抑えることができる。
また、足蒸れ軽減靴１０の非透水性換気体３６はハトメ３０内に配設されると共に本底第１サイド部２４と本底第２サイド部２６に設けられているので、足蒸れ軽減靴１０を履く者の体重がほとんどかからないので非透水性換気体３６の劣化を抑えられ非透水性換気効果を長期にわたって維持することができる。さらに、前記非透水性換気体３６の外側にはメッシュ体４０を設けたので外部からハトメ穴３４にゴミ等が浸入するのを防止できるので、前記非透水性換気体３６は非透水性換気性能を維持した状態で長期間にわたり使用することができる。
【００１１】
図５には本考案に係る足蒸れ軽減靴の第２実施例が示されている。なお、第１実施例の足蒸れ軽減靴１０と同一の構成は同一の符号を用いてその説明は省略する。
図５に示されるように、本考案の足蒸れ軽減靴５０の本底１２の底部１２Ｅの第１サイド換気路２０Ｂ、第２サイド換気路２０Ｃに対応する部分には複数のハトメ挿入孔２８が間隔を設けて貫通形成されている。これらハトメ挿入孔２８にはハトメ３０が挿入されている。
従って、第２実施例の足蒸れ軽減靴５０においては本底１２の底部１２Ｅのハトメ３０を介して換気されるようになっている。
なお、他の作用、効果は第１実施例の足蒸れ軽減靴１０と同一であるので、その説明は省略する。
【００１２】
図６には本考案に係る足蒸れ軽減靴の第３実施例が示されている。なお、第１実施例の足蒸れ軽減靴１０と同一の構成は同一の符号を用いてその説明は省略する。
図６に示されるように、第３実施例の足蒸れ軽減靴６０は本底１２の本底第１サイド部２４、本底第２サイド部２６及び本底１２の底部１２Ｅの第１サイド換気路２０Ｂ、第２サイド換気路２０Ｃに対応する部分にハトメ挿入孔２８を貫通形成されている。これらハトメ挿入孔２８にハトメ３０が挿入されている。
従って、足蒸れ軽減靴６０は本底第１サイド部２４、本底第２サイド部２６及び本底１２の底部１２Ｅのハトメ３０を介して換気されるので換気量を多くすることができるようになっている。
なお、他の作用、効果は第１実施例の足蒸れ軽減靴１０と同一であるので、その説明は省略する。
【００１３】
なお、実施例で示したで換気用弾性体２２はスポンジで製造したものを示したが、換気用弾性体２２は弾性復帰する性質を有する材料（例えばシリコン、エラストマー、弾性ゴムや他の合成樹脂材等）であればスポンジに限定されないことは勿論である。
また、実施例の非透水性換気体３６は不織布３８の表面に超撥水剤３９を塗布して形成したものを示したが、非透水性換気体３６は空気は通すが水は通さない部材であれば実施例の非透水性換気体３６に限定されるものでないことは勿論である。
なお、実施例では中敷１６を設けた足蒸れ軽減靴１０を示したが、中敷１６は必ずしも設けなくてもよいことは勿論である。
また、実施例では側面視円形状のハトメ３０を使用したが、ハトメ３０の形状は円形状に限定されるものでなく、楕円形状、長円形状、矩形形状等でもよいことは勿論である。
【産業上の利用可能性】
【００１４】
本考案の足蒸れ軽減靴は、婦人靴、紳士靴、子供靴等の一般靴の他に運動靴、長靴等のあらゆる靴に使用することができる。
【符号の説明】
【００１５】
１０    足蒸れ軽減靴
１２    本底
１２Ｅ  底部
１４    中底
１６    中敷
１８    甲皮部
２０    換気路
２０Ａ  爪先部換気路
２０Ｂ  第１サイド換気路
２０Ｃ  第２サイド換気路
２２    換気用弾性体
２４    本底第１サイド部
２６    本底第２サイド部
２８    ハトメ挿入孔
３０    ハトメ
３２    座金
３４    ハトメ穴
３６    非透水性換気体
３８    不織布
３９    超撥水剤
４０    メッシュ体
４２    中底貫通孔
４４    中敷貫通孔
【図１】
0003161164.tif 000003
【図２】
0003161164.tif 000004
【図３】
0003161164.tif 000005
【図４】
0003161164.tif 000006
【図５】
0003161164.tif 000007
【図６】
0003161164.tif 000008